(57)【特許請求の範囲】
【請求項１】
通信衛星から送信された相互に偏波面の異なる２種類の電波を、夫々、第１の偏波信号及び第２の偏波信号として受信し、端末側への受信信号の出力端子に偏波切換・電源供給兼用の第１の電圧信号を受けると、前記第１の偏波信号を所定周波数帯のＣＳ受信信号に周波数変換して前記出力端子から端末側に出力し、前記出力端子に前記第１の電圧信号よりも高い電圧に設定された偏波切換・電源供給兼用の第２の電圧信号を受けると、前記第２の偏波信号を所定周波数帯のＣＳ受信信号に変換して前記出力端子から端末側に出力するＣＳコンバータを備えたＣＳアンテナと、
放送衛星からの送信電波を受信し、端末側への受信信号の出力端子に電源供給用の電圧信号を受けると、前記受信した衛星放送からの送信信号を所定周波数帯のＢＳ受信信号に周波数変換して前記出力端子から端末側に出力するＢＳコンバータを備えたＢＳアンテナと、
前記ＣＳコンバータの出力端子及び前記ＢＳコンバータの出力端子に夫々接続される一対の入力端子を備え、該各入力端子に入力された前記各コンバータからの受信信号を混合して出力端子から出力する混合器と、
該混合器の出力端子に１本の伝送線を介して接続され、該伝送線を介して伝送されてきた受信信号を前記ＣＳ受信信号とＢＳ受信信号とに分波して、各受信信号復調用の端末装置に出力する分波器と、
前記混合器からＣＳ受信信号復調用の端末装置に至る伝送経路上に設けられ、該端末装置から出力された偏波切換信号に応じて、少なくとも前記ＣＳコンバータ及びＢＳコンバータを動作させるに充分な電力量の第１の電圧信号又は第２の電圧信号を生成して、前記混合器側に出力する電源装置と、
を備え、前記分波器は、前記ＣＳ受信信号復調用の端末装置側から受けた信号を前記混合器側に出力し、前記混合器は、前記出力端子に受けた電圧信号を前記各入力端子から前記各コンバータの出力端子に出力するよう構成され、
しかも、前記ＣＳコンバータ及び前記ＢＳコンバータは、それぞれ、前記各受信信号の周波数変換に略同じ周波数の局部発振信号を使用することにより、互いに周波数帯がずれて１本の伝送線で伝送可能な受信信号を出力するよう構成されたことを特徴とする衛星受信システム。
【請求項２】
請求項１記載の衛星受信システムにおいて、
前記ＢＳコンバータは、前記電源供給用の電圧信号として、前記第２の電圧信号を受けることにより動作するよう構成され、
前記混合器は、前記出力端子に受けた電圧信号が第１の電圧信号，第２の電圧信号のいずれであっても、該電圧信号からＢＳコンバータ駆動用の第２の電圧信号を生成して、該生成した第２の電圧信号を、前記ＢＳコンバータに接続された入力端子から前記ＢＳコンバータの出力端子に出力させる定電圧回路を備えたことを特徴とする衛星受信システム。
【請求項３】
請求項１記載の衛星受信システムにおいて、
前記混合器は、前記出力端子に受けた電圧信号を、前記ＣＳコンバータ及びＢＳコンバータの出力端子に接続される各入力端子からそのまま出力するよう構成され、
前記ＢＳコンバータは、
前記第２の電圧信号を受けることにより、前記衛星放送からの送信信号を所定周波数帯のＢＳ受信信号に周波数変換する周波数変換部と、
前記出力端子に受けた前記混合器からの電圧信号が第１の電圧信号，第２の電圧信号のいずれであっても、該電圧信号から前記周波数変換部駆動用の第２の電圧信号を生成して、前記周波数変換部に供給する定電圧回路と、
を備えたことを特徴とする衛星受信システム。
【請求項４】
請求項１〜請求項３いずれか記載の衛星受信システムにおいて、
前記混合器は、前記各コンバータから出力される受信信号とは別に、他の受信アンテナからの受信信号を入力するための１又は複数の入力端子を備え、該入力端子に入力された他の受信アンテナからの受信信号と前記各コンバータからの受信信号とを全て混合して、前記出力端子から出力するよう構成されたことを特徴とする衛星受信システム。
【請求項５】
請求項１〜請求項４いずれか記載の衛星受信システムにおいて、
前記混合器は、前記各入力端子から入力される受信信号の少なくとも一つを、他の受信信号と混合する前に増幅する増幅回路を内蔵したことを特徴とする衛星受信システム。
【請求項６】
請求項１〜請求項５いずれか記載の衛星受信システムにおいて、
前記分波器に代えて、前記伝送線を介して伝送されてきた受信信号を複数に分配して各受信信号復調用の端末装置に出力する分配器を備えたことを特徴とする衛星受信システム。
【請求項７】
通信衛星から送信された相互に偏波面の異なる２種類の電波を、夫々、第１の偏波信号及び第２の偏波信号として受信し、端末側への受信信号の出力端子に偏波切換・電源供給兼用の第１の電圧信号を受けると、前記第１の偏波信号を所定周波数帯のＣＳ受信信号に周波数変換して前記出力端子から端末側に出力し、前記出力端子に前記第１の電圧信号よりも高い電圧に設定された偏波切換・電源供給兼用の第２の電圧信号を受けると、前記第２の偏波信号を所定周波数帯のＣＳ受信信号に変換して前記出力端子から端末側に出力するＣＳコンバータを備えたＣＳアンテナと、
放送衛星からの送信電波を受信し、端末側への受信信号の出力端子に電源供給用の電圧信号として前記第２の電圧信号を受けると、前記受信した衛星放送からの送信信号を所定周波数帯のＢＳ受信信号に周波数変換して前記出力端子から端末側に出力するＢＳコンバータを備えたＢＳアンテナと、
を備えた衛星受信システムにおいて、前記各コンバータから出力される受信信号を混合して端末側に出力するのに使用される受信信号混合器であって、
前記各コンバータの出力端子に接続されて前記各コンバータから出力された各受信信号を入力するための一対の入力端子と、
該各入力端子に入力された前記各コンバータからの受信信号を混合する混合回路と、
該混合回路にて混合された受信信号を端末側に出力する出力端子と、
該出力端子に端末側より伝送されてきた前記偏波切換・電源供給兼用の第１の電圧信号又は第２の電圧信号を、前記ＣＳコンバータからのＣＳ受信信号を受ける入力端子側にそのまま出力する電圧信号出力回路と、
前記出力端子に端末側より伝送されてきた前記偏波切換・電源供給兼用の電圧信号が第１の電圧信号，第２の電圧信号のいずれであっても、該電圧信号から前記ＢＳコンバータ駆動用の第２の電圧信号を生成して、該生成した第２の電圧信号を、前記ＢＳコンバータからのＢＳ受信信号を受ける入力端子に出力する定電圧回路と、
を備えたことを特徴とする受信信号混合器。
【請求項８】
請求項７記載の受信信号混合器において、
前記各コンバータから出力される受信信号とは別に、他の受信アンテナからの受信信号を入力するための１又は複数の入力端子を設け、
該入力端子に入力された他の受信アンテナからの受信信号と前記各コンバータからの受信信号とを全て混合して、前記出力端子から端末側に出力するよう構成したことを特徴とする受信信号混合器。
【請求項９】
請求項７又は請求項８記載の受信信号混合器において、
前記各入力端子から入力される受信信号の少なくとも一つを、他の受信信号と混合する前に増幅する増幅回路を内蔵したことを特徴とする受信信号混合器。
【発明の詳細な説明】
【０００１】
【発明の属する技術分野】
本発明は、通信衛星から送信された相互に偏波面の異なる２種類の電波を受信するＣＳアンテナと、放送衛星からの送信電波を受信するＢＳアンテナとを備えた衛星受信システム、及び、このシステムで各アンテナからの受信信号を混合するのに好適な受信信号混合器に関する。
【０００２】
【従来の技術】
従来より、通信衛星（以下、単にＣＳともいう）からの送信電波を受信するＣＳアンテナとして、ＣＳから送信された偏波面が直交する２種類の電波、又は偏波面の旋回方向が互いに異なる２種類の電波を受信可能なものが知られている。
【０００３】
そして、この種のＣＳアンテナには、例えば、受信信号の出力端子に偏波切換・電源供給兼用の第１の電圧信号（一般には直流１１Ｖ）を受けると、直交２偏波の内の垂直偏波の電波を所定周波数帯のＣＳ受信信号に変換して出力し、受信信号の出力端子に偏波切換・電源供給兼用の第２の電圧信号（一般には直流１５Ｖ）を受けると、直交２偏波の内の水平偏波の電波を所定周波数帯のＣＳ受信信号に変換して出力するＣＳコンバータが備えられている。
【０００４】
なお、このＣＳコンバータの偏波切換動作は、直交２偏波の電波を受信する一般的なＣＳアンテナのものであり、例えば、旋回方向が異なる円偏波の電波を受信するＣＳアンテナでは、通常、右旋回の円偏波を受信する際には、第１の電圧信号として直流１３ＶをＣＳコンバータに供給し、左旋回の円偏波を受信する際には、第２の電圧信号として直流１８ＶをＣＳコンバータに供給するようにされている。
【０００５】
一方、従来より、放送衛星（以下、単にＢＳともいう）からの送信電波を受信するＢＳアンテナも知られている。そして、ＢＳアンテナには、通常、受信信号の出力端子に電源供給用の電圧信号として直流１５Ｖを受けることにより動作し、放送衛星からの送信信号を所定周波数帯のＢＳ受信信号に変換して出力するＢＳコンバータが備えられている。
【０００６】
【発明が解決しようとする課題】
ところで、一般に、ＶＨＦアンテナやＵＨＦアンテナ等の複数の受信アンテナを屋外に設置し、各受信アンテナからの受信信号を、屋内に設置したテレビ受像器等の端末装置まで伝送する場合には、各アンテナからの受信信号を、アンテナ近傍に設けた混合器（所謂ミキサ）にて混合し、混合器と屋内の端末装置とを１本の伝送線（通常、同軸ケーブルが使用される）にて接続するようにしている。
【０００７】
ところが、ＣＳアンテナとＢＳアンテナとを屋外に設置した場合、これら各アンテナからの受信信号を同時に得られるようにするには、端末側から、各アンテナのコンバータに、異なる電圧信号を供給する必要があり、各アンテナからの受信信号を１本の伝送線を使って屋内に引き込むことができなかった。
【０００８】
つまり、ＣＳアンテナからの受信信号を受けるＣＳチューナには、偏波面切替用の２種類の電圧信号をＣＳアンテナ側に出力する機能があり、ＢＳアンテナからの受信信号を受けるＢＳチューナやＢＳチューナ内蔵テレビには、ＢＳコンバータ駆動用の電圧信号をＢＳアンテナ側に出力する機能があるが、これら各端末装置とＣＳアンテナ及びＢＳアンテナとの間を、１本の伝送線で接続するようにすると、この伝送線で各コンバータ駆動用の電圧信号が混合されて、ＣＳアンテナの偏波面切換を正常に行うことができなくなる。このため、従来では、ＣＳアンテナとＢＳアンテナとを屋外に設置して、これら各アンテナからの受信信号を屋内の端末装置に伝送する際には、屋内の端末装置と各アンテナのコンバータとを、夫々、専用の伝送線を使って接続するようにしていた。
【０００９】
従って、ＣＳアンテナとＢＳアンテナとを屋外に設置した施設では、伝送線の配線工事が面倒であるという問題があった。
本発明は、こうした問題に鑑みなされたものであり、ＣＳアンテナとＢＳアンテナとの両方を設置した施設において、これら各アンテナからの受信信号を１本の伝送線を使って端末側に伝送できるようにした衛星受信システム、及び、このシステムにおいて使用するのに好適な受信信号混合器を提供することを目的とする。
【００１０】
【課題を解決するための手段及び発明の効果】
かかる目的を達成するためになされた請求項１に記載の衛星受信システムにおいては、通信衛星から送信された相互に偏波面の異なる２種類の電波を、夫々、第１の偏波信号及び第２の偏波信号として受信し、端末側への受信信号の出力端子に偏波切換・電源供給兼用の第１の電圧信号を受けると、前記第１の偏波信号を所定周波数帯のＣＳ受信信号に周波数変換して前記出力端子から端末側に出力し、前記出力端子に前記第１の電圧信号よりも高い電圧に設定された偏波切換・電源供給兼用の第２の電圧信号を受けると、前記第２の偏波信号を所定周波数帯のＣＳ受信信号に変換して前記出力端子から端末側に出力するＣＳコンバータを備えたＣＳアンテナと、放送衛星からの送信電波を受信し、端末側への受信信号の出力端子に電源供給用の電圧信号を受けると、前記受信した衛星放送からの送信信号を所定周波数帯のＢＳ受信信号に周波数変換して前記出力端子から端末側に出力するＢＳコンバータを備えたＢＳアンテナとを備える。そして、ＣＳコンバータの出力端子及びＢＳコンバータの出力端子には、夫々、混合器の入力端子が接続され、混合器において、各コンバータからの受信信号が混合される。
【００１１】
また、この混合器にて混合された受信信号は、混合器の出力端子から、１本の伝送線を介して、分波器に伝送される。分波器は、その伝送線を介して伝送されてきた受信信号をＣＳ受信信号とＢＳ受信信号とに分波して、各受信信号復調用の端末装置に出力する。この結果、ＣＳアンテナ及びＢＳアンテナからの受信信号は、夫々、各受信信号復調用の端末装置まで伝送されることになる。
【００１２】
一方、混合器から出力されたＣＳ受信信号をＣＳ受信信号復調用の端末装置に伝送する伝送経路上には、その端末装置から出力された偏波切換信号に応じて、少なくともＣＳコンバータ及びＢＳコンバータを動作させるに充分な電力量の第１の電圧信号又は第２の電圧信号を生成して、混合器側に出力する電源装置が設けられる。そして、分波器は、ＣＳ受信信号復調用の端末装置側から受けた信号を混合器側に出力し、混合器は、出力端子に受けた電圧信号を各入力端子から各コンバータの出力端子に出力する。
【００１３】
従って、ＣＳコンバータは、混合器側より供給される第１の電圧信号又は第２の電圧信号を受けて動作し、この電圧信号に対応した偏波面の信号（第１の偏波信号又は第２の偏波信号）を所定周波数帯のＣＳ受信信号に周波数変換して、出力端子から端末側に出力し、また、ＢＳコンバータは、混合器側より供給される電圧信号を受けて動作し、放送衛星からの送信電波を所定周波数帯のＢＳ信号に周波数変換して、出力端子から端末側に出力する。
【００１４】
また本発明では、ＣＳコンバータ及びＢＳコンバータは、各受信信号を周波数変換するのに使用する局部発振信号として、略同じ周波数の信号を使用するようにされている。
これは、従来のように、ＣＳコンバータにおける周波数変換用の局部発振信号の周波数（局部発振周波数）を１１．２ＧＨｚ、ＢＳコンバータにおける周波数変換用の局部発振周波数を１０．６７８ＧＨｚとしていると、日本国内で打ち上げられている通信衛星からの送信電波をＣＳコンバータで周波数変換したＣＳ受信信号の周波数帯と、放送衛星からの送信電波をＢＳコンバータで周波数変換したＢＳ受信信号の周波数帯とが重なり、これら各受信信号を１本の伝送線で伝送することができなくなってしまうからである。
つまり、本発明では、これら各コンバータで周波数変換に用いる局部発振信号の周波数を略同じ周波数にすることにより、各コンバータから出力される受信信号の周波数帯をずらし、各受信信号を混合して１本の伝送線で伝送できるようにしているのである。
【００１５】
よって本発明によれば、ＣＳアンテナとＢＳアンテナとを備えた衛星受信システムにおいて、各アンテナのコンバータを正常動作させつつ、各コンバータからの受信信号を１本の伝送線を使って端末側に伝送することが可能になり、各アンテナと端末装置とを接続する配線作業を簡単に行うことができるようになる。
【００１６】
ここで、請求項１記載の衛星受信システムにおいて、ＢＳコンバータが、電源供給用の電圧信号として、第２の電圧信号を受けることにより動作するよう構成されている場合には、ＣＳコンバータに第１の偏波信号を周波数変換させるために、電源装置から第２の電圧信号よりも電圧が低い第１の電圧信号が出力されると、ＢＳコンバータが正常に動作しなくなってしまう。
【００１７】
このため、ＢＳコンバータがこのように構成されている場合には、請求項２に記載のように、混合器に、出力端子に受けた電圧信号が第１の電圧信号，第２の電圧信号のいずれであっても、この電圧信号からＢＳコンバータ駆動用の第２の電圧信号を生成して、その生成した第２の電圧信号を、ＢＳコンバータに接続された入力端子からＢＳコンバータの出力端子に出力させる定電圧回路を設けるとよい。つまり、このようにすれば、ＢＳコンバータが第２の電圧信号にて動作するよう構成されていても、ＢＳコンバータを常に正常動作させることが可能になる。
【００１８】
一方、請求項１に記載の衛星受信システムにおいて、ＢＳコンバータが、衛星放送からの送信信号を所定周波数帯のＢＳ受信信号に周波数変換する周波数変換部として、第２の電圧信号を受けて動作する周波数変換部を備え、混合器が、出力端子に受けた電圧信号を、ＣＳコンバータ及びＢＳコンバータの出力端子に接続される各入力端子からそのまま出力するように構成されている場合には、請求項３に記載のように、ＢＳコンバータに、出力端子に受けた混合器からの電圧信号が第１の電圧信号，第２の電圧信号のいずれであっても、この電圧信号から周波数変換部駆動用の第２の電圧信号を生成して、周波数変換部に供給する定電圧回路を設けるようにすればよい。
【００１９】
また次に、本発明は、ＣＳアンテナとＢＳアンテナとの２つのアンテナだけでなく、ＶＨＦアンテナやＵＨＦアンテナ等の他の受信アンテナを備えた衛星受信システムにも適用できる。そして、このようなシステムでは、混合器を、請求項４に記載のように構成するとよい。
【００２０】
つまり、請求項４に記載の衛星受信システムにおいては、混合器が、ＣＳアンテナ及びＢＳアンテナの各コンバータから受信信号とは別に、他の受信アンテナからの受信信号を入力するための１又は複数の入力端子を備え、この入力端子に入力された他の受信アンテナからの受信信号と各コンバータからの受信信号とを全て混合して、出力端子から出力するよう構成される。このため、請求項４に記載の衛星受信システムによれば、ＣＳ受信信号及びＢＳ受信信号だけでなく、ＶＨＦアンテナやＵＨＦアンテナ等の他の受信アンテナからの受信信号をも、１本の伝送線を介して端末側に伝送でき、伝送線の配線作業をより簡単に行うことができる。
【００２１】
また、請求項１〜請求項４いずれか記載の衛星受信システムにおいて、混合器には、請求項５に記載のように、各入力端子から入力される受信信号の少なくとも一つを、他の受信信号と混合する前に増幅する増幅回路を内蔵させてもよい。そして、混合器をこのように構成すれば、各入力端子から入力される受信信号を単に混合するのではなく、受信信号の一部或いは全てを増幅することができるので、伝送線が長く、受信信号の減衰が大きくなるシステムや、各受信信号を端末側で複数の端末装置に分配させるようにしたシステムにおいて、各受信信号を所定レベル以上に保持したまま端末装置に供給することができるようになる。
【００２２】
尚、以上説明した請求項１〜請求項５いずれか記載の衛星受信システムにおいては、請求項６に記載のように、分波器に代えて、伝送線を介して伝送されてきた受信信号を複数に分配して各受信信号復調用の端末装置に出力する分配器を設けるようにしてもよい。
【００２３】
次に、請求項７〜請求項９に記載の発明は、上述のＣＳアンテナ及びＢＳアンテナを備えた衛星受信システムにおいて、各コンバータから出力される受信信号を混合して端末側に出力するのに好適な受信信号混合器に関する発明である。
そして、請求項７に記載の受信信号混合器においては、混合回路が、入力端子に入力された各コンバータからの受信信号を混合し、その混合した受信信号を出力端子から端末側に出力し、電圧信号出力回路が、出力端子に端末側より伝送されてきた偏波切換・電源供給兼用の第１の電圧信号又は第２の電圧信号を、ＣＳコンバータからのＣＳ受信信号を受ける入力端子側にそのまま出力し、定電圧回路が、出力端子に端末側より伝送されてきた偏波切換・電源供給兼用の電圧信号が第１の電圧信号，第２の電圧信号のいずれであっても、この電圧信号からＢＳコンバータ駆動用の第２の電圧信号を生成して、その生成した第２の電圧信号をＢＳコンバータからのＢＳ受信信号を受ける入力端子に出力する。
【００２４】
つまり、請求項７に記載の受信信号混合器は、請求項２に記載の衛星受信システムを構築するのに最適な混合器であり、前述したように、ＢＳコンバータが第２の電圧信号にて動作するよう構成されていても、ＢＳコンバータを常に正常動作させつつ、ＣＳコンバータ及びＢＳコンバータからの受信信号を１本の伝送線を用いて端末側に伝送させることが可能になる。
【００２５】
次に、請求項８記載の受信信号混合器は、上記請求項７記載の受信信号混合器に、更に、前記各コンバータから出力される受信信号とは別に、他の受信アンテナからの受信信号を入力するための１又は複数の入力端子を設け、この入力端子に入力された他の受信アンテナからの受信信号と各コンバータからの受信信号とを全て混合して、出力端子から端末側に出力するよう構成したものである。
【００２６】
つまり、この受信信号混合器は、請求項４に記載の衛星受信システムを構築するのに最適な混合器であり、ＣＳ受信信号及びＢＳ受信信号だけでなく、ＶＨＦアンテナやＵＨＦアンテナ等の他の受信アンテナからの受信信号をも、１本の伝送線を介して端末側に伝送させることが可能になる。
【００２７】
また次に、請求項９記載の受信信号混合器は、請求項７又は請求項８記載の受信信号混合器に、各入力端子から入力される受信信号の少なくとも一つを、他の受信信号と混合する前に増幅する増幅回路を内蔵させたものである。
従って、この受信信号混合器は、請求項５に記載の衛星受信システムを構築するのに最適な混合器であり、混合器から端末までの伝送線が長く、受信信号の減衰が大きくなるシステムや、各受信信号を端末側で複数の端末装置に分配させるようにしたシステムにおいて、各受信信号を所定レベル以上に保持したまま端末装置に供給させることが可能になる。
【００２８】
【発明の実施の形態】
以下に本発明の実施例を図面と共に説明する。
まず図１は本発明が適用された実施例の衛星受信システム全体の構成を表わす概略構成図である。
【００２９】
図１に示す如く、本実施例の衛星受信システムは、一般家庭で、屋外に設置したＣＳアンテナ２及びＢＳアンテナ４からの各受信信号（ＣＳ受信信号，ＢＳ受信信号）を、屋内に設置したＣＳチューナ１４及びＢＳチューナ内蔵テレビ（ＴＶ：以下、単にテレビという）１６まで伝送する受信システムである。
【００３０】
ＣＳアンテナ２は、通信衛星（ＣＳ）から送信された直交２偏波の送信電波を受信するオフセット型のパラボラアンテナであり、反射鏡２ａと、図示しない支持腕を介して反射鏡２ａの焦点位置に配置されたＣＳコンバータ２ｂとからなる。そして、ＣＳコンバータ２ｂは、端末側より受信信号の出力端子に入力される偏波切換・電源供給兼用の電圧信号によって動作し、反射鏡２ａにて集波されたＣＳからの直交２偏波の送信電波を第１の偏波信号，第２の偏波信号として夫々受信すると共に、出力端子に入力された電圧信号に応じて第１の偏波信号，第２の偏波信号の内のいずれか一方を選択し、その選択した偏波信号を、図示しない局部発振器にて生成した周波数１０．６７８ＧＨｚの局部発振信号Ｌｏを用いて、所定周波数帯（具体的には１５７２〜２０７２ＭＨｚ）のＣＳ受信信号（図に示すＣＳ・ＩＦ）に変換して出力する。
【００３１】
なお、本実施例では、ＣＳコンバータ２ｂは、第１の電圧信号として出力端子に直流１１Ｖを受けると、第１の偏波信号としての垂直偏波信号を周波数変換したＣＳ受信信号を出力端子から出力し、第２の電圧信号として出力端子に直流１５Ｖを受けると、第２の偏波信号としての水平偏波信号を周波数変換したＣＳ受信信号を出力端子から出力するものとする。
【００３２】
また、ＢＳアンテナ４は、放送衛星（ＢＳ）からの送信電波を受信するオフセット型のパラボラアンテナであり、反射鏡４ａと、図示しない支持腕を介して反射鏡４ａの焦点位置に配置されたＢＳコンバータ４ｂとからなる。そして、ＢＳコンバータ４ｂは、端末側より受信信号の出力端子に入力される電源供給用の電圧信号（本実施例では直流１５Ｖ）によって動作し、反射鏡４ａにて集波されたＢＳからの送信電波を受信し、これを図示しない局部発振器（ＣＳコンバータ２ｂに内蔵されたものと同じである）にて生成した周波数１０．６７８ＧＨｚの局部発振信号Ｌｏを用いて、所定周波数帯（具体的には１０３５〜１３３５ＭＨｚ）のＢＳ受信信号（図に示すＢＳ・ＩＦ）に変換して出力する。
【００３３】
次に、上記各コンバータ２ｂ，４ｂの出力端子は、夫々、同軸ケーブルを介して混合器（以下、ミキサという）１０の入力端子ＴCS，ＴBS（図３参照）に接続されており、各コンバータ２ｂ，４ｂから出力されるＣＳ受信信号及びＢＳ受信信号は、ミキサ１０にて混合され、ミキサ１０の出力端子ＴMO（図３参照）から端末側に出力される。尚、ミキサ１０の構成については後述する。
【００３４】
また、ミキサ１０の出力端子ＴMOは、伝送線である１本の同軸ケーブルを介して、屋内に設置された分波器１２の入力端子に接続されている。分波器１２は、同軸ケーブルを介してミキサ１０から伝送されてきた受信信号を、ＣＳ受信信号とＢＳ受信信号とに分波するためのものであり、分波後のＣＳ受信信号を同軸ケーブルを介してＣＳチューナ１４側に出力し、ＢＳ受信信号を同軸ケーブルを介してテレビ１６に出力する。
【００３５】
また更に、分波器１２からＣＳチューナ１４に至るＣＳ受信信号の伝送経路（同軸ケーブル）上には、電源装置２０が設けられている。この電源装置２０には、図２に示すように、ＣＳ受信信号の入力端子ＴINと出力端子Ｔout とが設けられており、入力端子ＴINには、同軸ケーブルを介して分波器１２のＣＳ受信信号出力端子が接続され、出力端子ＴOUT には、同軸ケーブルを介してＣＳチューナ１４のＣＳ受信信号入力端子に接続されている。
【００３６】
尚、ＣＳチューナ１４は、使用者からの指示に従い、ＣＳ受信信号の入力端子から、ＣＳアンテナ２に対する偏波切換・電源供給用の２種類の電圧信号（垂直偏波受信時には直流１１Ｖ，水平偏波受信時には直流１５Ｖとなる）の内の一方を選択的に出力するよう構成された一般的なＣＳチューナである。
【００３７】
また、分波器１２は、所謂電流通過型であり、ＣＳ受信信号出力端子に端末側より入力された電圧信号（具体的には電源装置２０が出力する直流１１Ｖ又は１５Ｖの信号）を入力端子側（延いては、同軸ケーブルを介して接続されたミキサ１０側）へとバイパスさせる機能を有する。
【００３８】
次に、電源装置２０の構成を詳しく説明する。
図２に示すように、電源装置２０は、ＡＣプラグを介して入力される商用電源からの交流電圧（例えば交流１００Ｖ）を、所定の交流電圧（例えば交流２４Ｖ）に変圧する電源トランス２２と、電源トランス２２による変圧後の交流電圧を全波整流して直流電源電圧を生成する全波整流回路２４と、全波整流回路２４からの出力電圧を受けて、所定の直流定電圧（本実施例では直流１５Ｖ）を生成する定電圧回路２６と、定電圧回路２６にて生成された直流定電圧１５Ｖを受けて、これよりも低い直流定電圧（本実施例では直流１１Ｖ）を生成する定電圧回路２８とを備える。
【００３９】
定電圧回路２６，２８は、ＣＳアンテナ２のＣＳコンバータ２ｂとＢＳアンテナ４のＢＳコンバータ４ｂとを同時に動作させるに充分な電力量（電流容量；４００〜５００ｍＡ程度）の電圧信号（直流１５Ｖ又は直流１１Ｖ）を生成するためのものであり、夫々、１５Ｖ出力，１１Ｖ出力の３端子レギュレータ２６ａ，２８ａを中心に構成されている。そして、定電圧回路２６には、３端子レギュレータ２６ａからの出力（直流１５Ｖ）を安定化させるためのコンデンサＣ２，Ｃ３及びチョークコイルＬ３が設けられ、定電圧回路２８には、３端子レギュレータ２８ａからの出力（直流１１Ｖ）を安定化させるためのコンデンサＣ４が設けられている。
【００４０】
また、電源装置２０には、分波器１２から入力端子ＴINに入力されたＣＳ受信信号を、入力端子ＴIN−出力端子ＴOUT 間に接続された直流及び低周波信号遮断・高周波信号通過用のコンデンサＣ１を介して、出力端子ＴOUT から端末（つまりＣＳチューナ１４）に出力すると共に、定電圧回路２６又は２８で生成された直流定電圧（直流１１Ｖ又は直流１５Ｖ）を、一端が入力端子ＴINに接続された直流及び低周波信号通過・高周波信号遮断用のチョークコイルＬ２を介して、入力端子ＴINから分波器１２側に出力し、更に、ＣＳチューナ１４から出力され出力端子ＴOUT に入力された電圧信号（直流１１Ｖ又は直流１５Ｖ）を、一端が出力端子ＴOUT に接続された直流及び低周波信号通過・高周波信号遮断用のチョークコイルＬ１を介して内部に取り込む、電源分離回路３２が備えられている。
【００４１】
そして、電源分離回路３２のチョークコイルＬ１を介して入力されたＣＳチューナ１４からの電圧信号は、偏波切換信号として電圧判定回路３４に入力され、電圧判定回路３４において、その偏波切換信号の電圧レベルから、現在端末側では、垂直偏波及び水平偏波のいずれの受信信号が必要であるのかが判断される。
【００４２】
即ち、電圧判定回路３４は、カソードが抵抗器Ｒ２を介してチョークコイルＬ１の他端に接続されたツェナーダイオードＤ１と、コレクタが抵抗器Ｒ１及びリレー３０のリレーコイル３０ｂを介してチョークコイルＬ１の他端に接続され、ベースがツェナーダイオードＤ１のアノードに接続されると共に抵抗器Ｒ３を介して接地され、エミッタがそのまま接地されたＮＰＮ型のトランジスタＴＲ１とを備え、チョークコイルＬ１を介して偏波切換信号として入力された電圧信号の電圧レベルが、ツェナーダイオードＤ１の降伏電圧及び抵抗器Ｒ２，Ｒ３の抵抗値で決定される判定電圧（例えば直流１３Ｖ）以上であるとき（つまり、水平偏波の受信信号が必要なとき）には、トランジスタＴＲ１がオンして、リレーコイル３０ｂに電流を流し、逆に、チョークコイルＬ１を介して入力された電圧信号の電圧レベルが、上記判定電圧よりも低いとき（つまり、垂直偏波の受信信号が必要なとき）には、トランジスタＴＲ１がオフして、リレーコイル３０ｂへの通電を遮断するよう動作する。
【００４３】
また、リレー３０には、リレーコイル３０ｂの通電時には、電源分離回路３２のチョークコイルＬ２の他端を定電圧回路２６の出力に接続し、リレーコイル３０ｂの非通電時には、チョークコイルＬ２の他端を定電圧回路２８の出力に接続する接点３０ａが備えられている。
【００４４】
この結果、ＣＳチューナ１４の入力端子から、垂直偏波選択用の電圧信号（直流１１Ｖ）が出力されているときには、電圧判定回路３４内のトランジスタＴＲ１がオフ状態となって、リレーコイル３０ｂが非通電状態となり、定電圧回路２８にて生成された直流１１Ｖの電圧信号が、分波器１２側に出力され、逆に、ＣＳチューナ１４の入力端子から、水平偏波選択用の電圧信号（直流１５Ｖ）が出力されているときには、電圧判定回路３４内のトランジスタＴＲ１がオン状態となって、リレーコイル３０ｂが通電状態となり、定電圧回路２６にて生成された直流１５Ｖの電圧信号が、分波器１２側に出力されることになる。そして、この電圧信号は、分波器１２及び同軸ケーブルを介して、ミキサ１０の出力端子ＴMOに伝送される。
【００４５】
一方、ミキサ１０は、図３に示す如く構成されており、分波器１２及び同軸ケーブルを介して電源装置２０から出力端子ＴMOに伝送されてきた電圧信号（直流１１Ｖ又は直流１５Ｖ）を、そのまま、ＣＳ受信信号の入力端子ＴCSからＣＳコンバータ２ｂへと出力すると共に、ＢＳ受信信号の入力端子ＴBSからＢＳコンバータ４ｂには、電源装置２０から伝送されてきた電圧信号が直流１１Ｖ，直流１５Ｖのいずれであっても、この電圧信号からＢＳコンバータ４ｂ駆動用の直流１５Ｖを生成して出力する。
【００４６】
即ち、ミキサ１０内では、ＣＳコンバータ２ｂ側より入力端子ＴCSに入力されたＣＳ受信信号が、ＣＳ受信信号を通過させＢＳ受信信号を遮断するハイパスフィルタ（ＨＰＦ）４２を介して、出力端子ＴMOまで伝送され、ＢＳコンバータ４ｂ側より入力端子ＴBSに入力されたＢＳ受信信号が、直流及び低周波信号遮断・高周波信号通過用のコンデンサＣ12、ＢＳ受信信号を通過させＣＳ受信信号を遮断するローパスフィルタ（ＬＰＦ）４４、及び、直流及び低周波信号遮断・高周波信号通過用のコンデンサＣ11を介して、出力端子ＴMOまで導かれる。
【００４７】
この結果、入力端子ＴCSに入力されたＣＳ受信信号と、入力端子ＴBSに入力されたＢＳ受信信号とは、互いに混合されて、出力端子ＴMOから出力されることになる。尚、ハイパスフィルタ４２、コンデンサＣ12、ローパスフィルタ４４、及び、コンデンサＣ11は、請求項７に記載の混合回路として機能する。
【００４８】
また、ＣＳ受信信号伝送用のハイパスフィルタ４２には、直流及び低周波信号通過・高周波信号遮断用のチョークコイルＬ10が並列に接続されており、このチョークコイルＬ10によって、電源装置２０から出力端子ＴMOに伝送されてきた電圧信号（直流１１Ｖ又は直流１５Ｖ）が、そのまま、入力端子ＴCSからＣＳコンバータ２ｂへと出力される。
【００４９】
この結果、ＣＳコンバータ２ｂは、この電圧信号に対応した偏波信号（垂直偏波信号又は水平偏波信号）を周波数変換したＣＳ受信信号を出力し、ＣＳチューナ１４には、使用者が要求する偏波面の受信信号が伝送されることになる。尚、チョークコイルＬ10は、請求項７に記載の電圧信号出力回路として機能する。
【００５０】
また次に、コンデンサＣ11，Ｃ12とローパスフィルタ４４とからなるＢＳ受信信号伝送用経路には、直流及び低周波信号通過・高周波信号遮断用のチョークコイルＬ11，Ｌ12を介して、ＤＣ−ＤＣコンバータ４６が並列接続されている。このＤＣ−ＤＣコンバータ４６は、電源装置２０から出力端子ＴMOに伝送されてきた電圧信号（直流１１Ｖ又は直流１５Ｖ）をチョークコイルＬ11を介して取り込み、この電圧信号からＢＳコンバータ４ｂ駆動用の直流１５Ｖを生成し、その生成した電圧信号をチョークコイルＬ12を介して、入力端子ＴBSに出力することにより、入力端子ＴBSからＢＳコンバータ４ｂに直流１５Ｖの電圧信号を供給するものであり、請求項７に記載の定電圧回路として機能する。尚、ＤＣ−ＤＣコンバータ４６としては、直流１５Ｖを効率よく生成するために、例えば、所謂電力変換回路として用いられるチョッパ回路にて構成されたものを使用するとよい。
【００５１】
この結果、ＢＳコンバータ４ｂには、電源装置２０が生成した電圧信号に関わらず、常に直流１５Ｖが供給され、ＢＳコンバータ４ｂは正常動作する。従って、使用者は、例えば、ＣＳチューナ１４で受信・復調したテレビ信号を図示しないビデオデッキで録画しつつ、テレビ１６でＢＳ放送を楽しむ、といったことができる。尚、ＤＣ−ＤＣコンバータ４６が生成する電圧信号の電力量は、ＢＳコンバータ４ｂを動作させるのに必要な電力量（電流容量：１００〜２００ｍＡ程度）であり、電源装置２０からの供給電力の内の残りは、ＣＳコンバータ２ｂの動作に利用される。
【００５２】
以上説明したように、本実施例の衛星受信システムによれば、電源装置２０にて、ＣＳコンバータ２ｂにおける偏波面切換用の電圧に対応し、且つ、ＣＳコンバータ２ｂ及びＢＳコンバータ４ｂを同時に動作させるのに必要な電力量の電圧信号を生成し、この電圧信号をミキサ１０を介してＣＳコンバータ２ｂにそのまま供給すると共に、ＢＳコンバータ４ｂには、この電圧信号からミキサ１０内のＤＣ−ＤＣコンバータ４６で生成したＢＳコンバータ４ｂ駆動用の電圧信号を供給するようにされている。このため、ＣＳコンバータ２ｂ及びＢＳコンバータ４ｂを常時正常動作させつつ、各コンバータ２ｂ，４ｂからの受信信号を１本の同軸ケーブルで端末側に伝送できることになり、同軸ケーブルの配線作業を簡単にできると共に、使い勝手のよい衛星受信システムを構築できる。
【００５３】
以上、本発明の一実施例について説明したが、本発明は、上記実施例に限定されるものではなく、種々の態様を採ることができる。
例えば、上記実施例では、電源装置２０において、２つの定電圧回路２８，２６を用いて、第１の電圧信号及び第２の電圧信号としての直流１１Ｖ，直流１５Ｖを生成するものとして説明したが、例えば図４に示す如く、上記２つの定電圧回路２６，２８に代えて、出力電圧を直流１１Ｖと直流１５Ｖとのいずれかに切り換え可能な出力可変定電圧回路２９を設け、電圧判定回路３４による判定結果に応じて、この定電圧回路２９からの出力電圧を直接切り換えるようにしてもよい。
【００５４】
即ち、図４に示す出力可変定電圧回路２９は、基本的には、図２に示した定電圧回路２６と同じで、３端子レギュレータ２９ａと、電圧安定化用コンデンサＣ２，Ｃ３とで主要部を構成してある。図２のものと異なる点は、３端子レギュレータ２９ａの基準電位設定用端子を、抵抗器Ｒ４を介して定電圧出力用端子に接続すると共に、リレー３０の接点３０ａに接続し、基準電位設定用端子を、リレー３０の接点３０ａにより、直接接地するか、抵抗器Ｒ５を介して接地するかを切り換えるようにしたことである。
【００５５】
そして、このように構成された出力可変定電圧回路２９では、リレー３０の接点３０ａが３端子レギュレータ２９ａの基準電位設定用端子を直接接地しているときには、出力電圧が予め設定された設定電圧となり、リレー３０の接点３０ａが３端子レギュレータ２９ａの基準電位設定用端子を抵抗器Ｒ５を介して接地しているときには、出力電圧が、設定電圧よりも抵抗器Ｒ５の両端電圧分だけ高い電圧となる。
【００５６】
そこで、図４に示す出力可変定電圧回路２９では、３端子レギュレータ２９ａに１１Ｖ出力のものを用い、抵抗器Ｒ４，Ｒ５の抵抗値を、３端子レギュレータ２９ａの出力が直流１５Ｖであるときに、抵抗器Ｒ５の両端電圧が４Ｖとなるように設定することにより、リレー３０におけるリレーコイル３０ｂの通電・非通電によって出力電圧を１１Ｖ又は１５Ｖに切り換えることができるようにされている。
【００５７】
従って、図２に示した電源装置２０において、定電圧回路２６，２８の代わりに図４に示す出力可変定電圧回路２９を用いるようにしても、電圧判定回路３４の動作によって、ＣＳコンバータ２ｂに供給する電圧信号を、直流１１Ｖ及び直流１５Ｖのいずれかに切り換えることが可能になり、しかも、電源装置２０の構成をより簡単にできる。
尚、このように電圧判定回路３４の動作によって出力可変定電圧回路２９からの出力電圧を切り換えることにより、ＣＳコンバータ２ｂに供給する電圧信号を直流１１Ｖ及び直流１５Ｖのいずれかに切り換える場合、図５に示すように、出力可変定電圧回路２９において、３端子レギュレータ２９ａの基準電位設定用端子を、抵抗器Ｒ６を介して接地しておき、電圧判定回路３４側のリレーコイル３０ｂの通電・非通電によりＯＮ・ＯＦＦ状態が切り換えられるリレー３０の接点３０ａにより、抵抗器Ｒ６に対して、抵抗器Ｒ７を並列に接続するか否かを切り換えるように構成してもよい。
【００５８】
つまり、リレーコイル３０ｂの通電時には、接点３０ａがＯＦＦ状態となって、３端子レギュレータ２９ａの基準電位設定用端子が抵抗器Ｒ６により接地されて、３端子レギュレータ２９ａからの出力が１５Ｖとなり、リレーコイル３０ｂの非通電時には、接点３０ａがＯＮ状態となって、３端子レギュレータ２９ａの基準電位設定用端子が抵抗器Ｒ６と抵抗器Ｒ７との合成抵抗により接地されて、３端子レギュレータ２９ａからの出力が１１Ｖとなるようにするのである。
【００５９】
そして、このようにすれば、接点３０ａのＯＮ・ＯＦＦ状態が切り変わる際に、３端子レギュレータ２９ａの基準電位設定用端子が一時的にオープン状態になるのを防止し、３端子レギュレータ２９ａから常に１１Ｖ又は１５Ｖの電圧を出力させることができる。
【００６０】
また次に、上記実施例では、ＢＳコンバータ４ｂが直流１５Ｖで動作するものとして説明したが、図６に示すＢＳコンバータ４ｂ′のように、これを構成する周波数変換部５４が直流１５Ｖで動作するものであっても、ミキサ１０側から出力端子ＴBOに入力された電圧信号（直流１１Ｖ又は１５Ｖ）を電源分離回路５６にて分離し、その分離された電圧信号（直流１１Ｖ又は１５Ｖ）から、周波数変換部５４駆動用の電圧信号（直流１５Ｖ）を定電圧回路５８で生成するように、ＢＳコンバータを構成してもよい。つまり、ＢＳコンバータ４ｂを、従来のように単に受信部５２と周波数変換部５４とで構成するのではなく、その内部に、上述のＤＣ−ＤＣコンバータ４６と同じ機能を有する定電圧回路５８を設けることにより、ＢＳコンバータ４ｂ′にＣＳコンバータ２ｂと同じ電圧信号を入力するだけで、ＢＳコンバータ４ｂ′が動作するように構成するのである。
【００６１】
そして、このように構成されたＢＳコンバータ４ｂ′を使用すれば、ＣＳ，ＢＳの各受信信号を混合するミキサ１０′には、図７に示すように、上記実施例のミキサ１０からチョークコイルＬ11，Ｌ12，及びＤＣ−ＤＣコンバータ４６を除去し、代わりに、出力端子ＴMOから入力端子ＴBSへと電圧信号をバイパスさせるチョークコイルＬ21を設けた、構成の簡単なミキサを使用することができる。
【００６２】
また、上記実施例では、ＣＳアンテナ２に設けられるＣＳコンバータ２ｂは、１つの通信衛星からの送信電波を受信し、その内の水平偏波又は垂直偏波の信号のいずれかを周波数変換して、端末側に出力するものとして説明したが、ＣＳアンテナ２が、２つの通信衛星からの送信電波を受信できるように構成されている場合には、電源装置２０を図８（ａ）又は（ｂ）に示す如く構成すればよい。
【００６３】
つまり、ＣＳアンテナには、２つの通信衛星からの送信電波を各々受信するための２つの受信部を備え、ＣＳコンバータが、端末側から供給される偏波切換・電源供給兼用の電圧信号に受信衛星切換用のパルス信号（周波数；３０ｋＨｚ〜６０ｋＨｚ程度）が重畳されているか否かによって、２つの受信部の一方を選択的に動作させ、その動作している受信部からの信号の中から、偏波切換・電源供給兼用の電圧信号に対応した垂直又は水平偏波の信号を選択して周波数変換するように構成されたものが知られている。
【００６４】
そして、このような２衛星受信用のＣＳアンテナを備えたシステムでは、受信衛星切り換えのために、ＣＳチューナ等の端末装置から、偏波切換・電源供給兼用の電圧信号にパルス信号を重畳した電圧信号が出力されることになる。従って、このようなシステムで使用する電源装置２０は、上記のように生成した１１Ｖ又は１５Ｖの電圧信号に、ＣＳチューナ等の端末装置側より入力される電圧信号に重畳されたパルス信号と同じパルス信号を重畳して、ＣＳアンテナ側に出力できるように構成する必要がある。
【００６５】
そして、電源装置２０をこのように構成する場合には、例えば、図８（ａ）に示す如く、図４に示した電源装置２０内に、出力端子ＴOUT 及び電源分離回路３２を介してＣＳチューナ１４側より入力された電圧信号の中から、この電圧信号に重畳されたパルス信号を抽出して増幅するパルス抽出・増幅回路８０を設け、このパルス抽出・増幅回路８０からの出力（換言すればパルス信号）を、パルス重畳回路８２にて、出力可変定電圧回路２９等の内部回路で生成した電圧信号（１１Ｖ又は１５Ｖ）に重畳し、そのパルス信号重畳後の電圧信号を、電源分離回路３２及び入力端子ＴINを介して、分波器１２（延いてはミキサ１０）側に出力するように構成すればよい。
【００６６】
また、例えば、図８（ｂ）に示す如く、図４に示した電源装置２０内に、出力端子ＴOUT 及び電源分離回路３２を介してＣＳチューナ１４側より入力された電圧信号の内の高周波成分（つまりパルス信号）をバイパスさせるハイパスフィルタ（ＨＰＦ）９０を設け、このハイパスフィルタ９０を通過したパルス信号をそのまま電源分離回路３２及び入力端子ＴINを介して、分波器１２（延いてはミキサ１０）側に出力するように構成してもよい。
【００６７】
尚、電源装置２０を図８（ｂ）に示す如く構成する場合には、ＣＳチューナ１４側より入力された電圧信号に重畳されたパルス信号が電圧判定回路３４に入力されたり、或いは、ハイパスフィルタ９０を通過したパルス信号が出力可変定電圧回路２９側に回り込むことによって、分波器１２側に出力されるパルス信号が減衰することのないよう、電源分離回路３２から電圧判定回路３４に至る電圧信号の経路、及び、出力可変定電圧回路２９から電源分離回路３２に至る電圧信号の経路には、夫々、パルス信号を遮断し、電圧信号の直流成分のみを通過させるローパスフィルタ（ＬＰＦ）９２，９４を設けるようにするとよい。
【００６８】
また次に、上記実施例では、ＣＳアンテナ２とＢＳアンテナ４との２つのアンテナを備えた衛星受信システムについて説明したが、本発明は、ＶＨＦアンテナやＵＨＦアンテナ等の他の受信アンテナを備えた衛星受信システムにも適用できるのはいうまでもない。そしてこの場合には、ミキサ１０を、これら各アンテナからの受信信号の全てを混合して端末側に出力するように構成するとよい。また、ミキサ１０には、入力端子を介してアンテナ側より入力される受信信号の一部或いは全てを増幅する増幅回路を内蔵してもよい。また、分波器１２の代わりに、単にミキサから伝送されてきた受信信号を分配する分配器を用いるようにしてもよい。
【００６９】
また、電源装置は、ミキサからＣＳチューナに至る伝送経路上に配置すればよく、分波器或いは分波器の代わりに用いる分配器とミキサとの間の伝送線（同軸ケーブル）上に設けてもよい。また、この分波器や分配器は、電源装置に内蔵するようにしてもよい。
【図面の簡単な説明】
【図１】  実施例の衛星受信システムの構成を表わす構成図である。
【図２】  実施例の電源装置の構成を表わす電気回路図である。
【図３】  実施例のミキサの構成を表す電気回路図である。
【図４】  図２に示した電源装置の変形例を表わす構成図である。
【図５】  図４に示した電源装置におけるリレーの接点による電圧切り換え部分の変形例を表す説明図である。
【図６】  ＢＳコンバータの他の構成例を表すブロック図である。
【図７】  図６に示したＢＳコンバータと共に使用されるミキサの構成例を表す電気回路図である。
【図８】  ＣＳアンテナとして２衛星受信用のＣＳアンテナを備えたシステムで使用する場合の電源装置の変形例を説明する説明図である。
【符号の説明】
２…ＣＳアンテナ、２ｂ…ＣＳコンバータ、４…ＢＳアンテナ、４ｂ…ＢＳコンバータ、１０…ミキサ、１２…分波器、１４…ＣＳチューナ、１６…テレビ、２０…電源装置、４６…ＤＣ−ＤＣコンバータ、５８…定電圧回路。
【図１】
0004041584.tif 000002
【図２】
0004041584.tif 000003
【図３】
0004041584.tif 000004
【図４】
0004041584.tif 000005
【図５】
0004041584.tif 000006
【図６】
0004041584.tif 000007
【図７】
0004041584.tif 000008
【図８】
0004041584.tif 000009